【手続補正書】
【提出日】平成28年3月31日(2016.3.31)
【手続補正１】
【補正対象書類名】明細書
【補正対象項目名】００７１
【補正方法】変更
【補正の内容】
【００７１】
モデリングの結果は実験による知見から外れることが知られている。この不確かさにより、予測は比較に基づいて見るべきである。
本開示は以下も包含する。
［１］  フリーラジカルで開始される乳化重合反応を終了させる方法であって、少なくとも１つの単量体を含むエマルジョンに、Ｎ−イソプロピルヒドロキシルアミン（ＩＰＨＡ）またはその塩、並びに前記ＩＰＨＡまたはその塩とは異なり且つ一級アルキルヒドロキシルアミン、二級アルキルヒドロキシルアミン、およびその混合物からなる群から選択される少なくとも１つのアルキルヒドロキシルアミン化合物を含む重合停止剤を添加することを含む、上記方法。
［２］  前記少なくとも１つのアルキルヒドロキシルアミンが、Ｎ−メチルヒドロキシルアミン（ＭＨＡ）、Ｎ−エチルヒドロキシルアミン（ＥＨＡ）、Ｎ−プロピルヒドロキシルアミン（ＰＨＡ）、Ｎ−ｔｅｒｔ−ブチルヒドロキシルアミン（ＴＢＨＡ）、およびその混合物からなる群から選択される一級アルキルヒドロキシルアミンである、上記態様１に記載の方法。
［３］  前記一級アルキルヒドロキシルアミンがＴＢＨＡである、上記態様１に記載の方法。
［４］  前記ＩＰＨＡまたはその塩および前記少なくとも１つのアルキルヒドロキシルアミンが、ＩＰＨＡ：アルキルヒドロキシルアミンが４０：１〜１：１であるモル比で前記重合停止剤中に存在する、上記態様１に記載の方法。
［５］  ＩＰＨＡまたはその塩およびＴＢＨＡが、ＩＰＨＡ：ＴＢＨＡが５：１であるモル比で前記重合停止剤中に存在する、上記態様３に記載の方法。
［６］  前記少なくとも１つのアルキルヒドロキシルアミンが、Ｎ−メチルヒドロキシルアミン（ＭＨＡ）、Ｎ−エチルヒドロキシルアミン（ＥＨＡ）、Ｎ−プロピルヒドロキシルアミン（ＰＨＡ）、Ｎ−ｔｅｒｔ−ブチルヒドロキシルアミン（ＴＢＨＡ）、およびその混合物からなる群から選択される少なくとも２つの一級アルキルヒドロキシルアミンを含む、上記態様１に記載の方法。
［７］  前記少なくとも２つの一級アルキルヒドロキシルアミンがＮ−エチルヒドロキシルアミン（ＥＨＡ）およびＮ−ｔｅｒｔ−ブチルヒドロキシルアミン（ＴＢＨＡ）である、上記態様６に記載の方法。
［８］  前記ＩＰＨＡまたはその塩および前記少なくとも２つの一級アルキルヒドロキシルアミンが、ＩＰＨＡ：（少なくとも２つのアルキルヒドロキシルアミン）が０．０２：１〜０．１：１であるモル比で前記重合停止剤中に存在する、上記態様１に記載の方法。
［９］  前記重合停止剤が、重合停止剤の全重量に基づいて３０〜９０重量％の溶媒を含む、上記態様１に記載の方法。
［１０］  前記重合停止剤が、前記単量体１００部あたり０．０１〜０．１部（ｐｈｍ）の量で前記エマルジョンに添加される、上記態様１に記載の方法。
［１１］  エラストマーを製造する方法であって、
１）  共役ジエンを含むラテックスのフリーラジカル重合を行うステップ；
２）  Ｎ−イソプロピルヒドロキシルアミン（ＩＰＨＡ）またはその塩、並びに前記ＩＰＨＡまたはその塩とは異なり、且つ一級アルキルヒドロキシルアミン、二級アルキルヒドロキシルアミン、およびその混合物からなる群から選択される少なくとも１つのアルキルヒドロキシルアミン化合物を含む重合停止剤を添加するステップ；並びに
３）  重合物を加工して前記エラストマーを形成するステップを含む、
上記方法。
［１２］  前記エラストマーがスチレン−ブタジエンゴム、ブタジエンゴムおよびアクリロニトリル−ブタジエンゴムからなる群から選択されるゴムである、上記態様１１に記載の方法。
【手続補正２】
【補正対象書類名】特許請求の範囲
【補正対象項目名】全文
【補正方法】変更
【補正の内容】
【特許請求の範囲】
【請求項１】
フリーラジカルで開始される乳化重合反応を終了させる方法であって、少なくとも１つの単量体を含むエマルジョンに、Ｎ−イソプロピルヒドロキシルアミン（ＩＰＨＡ）またはその塩、並びに前記ＩＰＨＡまたはその塩とは異なり且つ一級アルキルヒドロキシルアミン、二級アルキルヒドロキシルアミン、およびその混合物からなる群から選択される少なくとも１つのアルキルヒドロキシルアミン化合物を含む重合停止剤を添加することを含み、該少なくとも１つのアルキルヒドロキシルアミンがＮ−ｔｅｒｔ−ブチルヒドロキシルアミン（ＴＢＨＡ）を含む、上記方法。
【請求項２】
前記少なくとも１つのアルキルヒドロキシルアミンが、Ｎ−メチルヒドロキシルアミン（ＭＨＡ）、Ｎ−エチルヒドロキシルアミン（ＥＨＡ）、Ｎ−プロピルヒドロキシルアミン（ＰＨＡ）、およびその混合物からなる群から選択される一級アルキルヒドロキシルアミンである、請求項１に記載の方法。
【請求項３】
前記ＩＰＨＡまたはその塩および前記少なくとも１つのアルキルヒドロキシルアミンが、ＩＰＨＡ：アルキルヒドロキシルアミンが４０：１〜１：１であるモル比で前記重合停止剤中に存在する、請求項１に記載の方法。
【請求項４】
ＩＰＨＡまたはその塩およびＴＢＨＡが、ＩＰＨＡ：ＴＢＨＡが５：１であるモル比で前記重合停止剤中に存在する、請求項１に記載の方法。
【請求項５】
前記少なくとも１つのアルキルヒドロキシルアミンが、Ｎ−メチルヒドロキシルアミン（ＭＨＡ）、Ｎ−エチルヒドロキシルアミン（ＥＨＡ）、Ｎ−プロピルヒドロキシルアミン（ＰＨＡ）、およびその混合物からなる群から選択される少なくとも第２の一級アルキルヒドロキシルアミンを更に含む、請求項１に記載の方法。
【請求項６】
前記第２の一級アルキルヒドロキシルアミンがＮ−エチルヒドロキシルアミン（ＥＨＡ）である、請求項５に記載の方法。
【請求項７】
前記ＩＰＨＡまたはその塩、ＴＢＨＡ、および前記第２のアルキルヒドロキシルアミンが、ＩＰＨＡ：（ＴＢＨＡおよび第２のアルキルヒドロキシルアミン）が０．０２：１〜０．１：１であるモル比で前記重合停止剤中に存在する、請求項５に記載の方法。
【請求項８】
前記重合停止剤が、重合停止剤の全重量に基づいて３０〜９０重量％の溶媒を含む、請求項１に記載の方法。
【請求項９】
前記重合停止剤が、前記単量体１００部あたり０．０１〜０．１部（ｐｈｍ）の量で前記エマルジョンに添加される、請求項１に記載の方法。
【請求項１０】
重合停止剤は、存在する全アルキルヒドロキシルアミンの総重量に基づいて１〜２０重量％のＩＰＨＡ、５０〜７０重量％のＥＨＡおよび２９〜４９重量％のＴＢＨＡを含む、請求項１に記載の方法。
【請求項１１】
エラストマーを製造する方法であって、
１）  共役ジエンを含むラテックスのフリーラジカル重合を行うステップ；
２）  Ｎ−イソプロピルヒドロキシルアミン（ＩＰＨＡ）またはその塩、並びに前記ＩＰＨＡまたはその塩とは異なり、且つ一級アルキルヒドロキシルアミン、二級アルキルヒドロキシルアミン、およびその混合物からなる群から選択される少なくとも１つのアルキルヒドロキシルアミン化合物を含む重合停止剤を添加するステップ；並びに
３）  重合物を加工して前記エラストマーを形成するステップ
を含み、
該少なくとも１つのアルキルヒドロキシルアミンが該一級アルキルヒドロキシルアミンのＮ−ｔｅｒｔ−ブチルヒドロキシルアミン（ＴＢＨＡ）を含む、上記方法。
【請求項１２】
前記エラストマーがスチレン−ブタジエンゴム、ブタジエンゴムおよびアクリロニトリル−ブタジエンゴムからなる群から選択されるゴムである、請求項１１に記載の方法。